(57)【要約】【課題】防水アダプタを装着してもレンズ鏡筒の進退がスムーズに行え、しかもカメラ本体だけでも防水機能を発揮することのできる防水カメラを提供する。【解決手段】防水構造のカメラ本体１０と、このカメラ本体１０の前面の開口１３Ａ内に配置されたレンズ筒２０と、カメラ本体１０の前面に取り付けられたマウント１１と、開口１３Ａの内周面とレンズ筒２０との間をシールするシール部材Ｓ３とを備え、ワイドコンバータ６０を取り付けるための防水アダプタ５０がマウント１１に着脱自在に装着される防水カメラにおいて、カメラ本体１０のマウント１１の内側の前カバー１３に通気孔１４を設け、この通気孔１４に防水通気シート１５を取り付け、マウント１１に防水アダプタ５０を装着してレンズ筒２０を進退させた際に、カメラ本体１０内と防水アダプタ５０内との間で通気孔１４を介して空気を移動させる。【選択図】  図２
2010072225.tif 000002
【特許請求の範囲】
【請求項１】
防水構造のカメラ本体と、このカメラ本体の前面に形成された開口内に配置されるとともに光軸方向に進退可能なレンズ鏡筒と、前記開口を囲むようにカメラ本体の前面に取り付けられた環状のマウントと、前記開口の内周面とレンズ鏡筒との間をシールするシール部材とを備え、別光学系を取り付けるための防水アダプタが前記マウントに着脱自在に装着される防水カメラにおいて、
前記カメラ本体のマウントの内側の前壁部に通気孔を設け、
この通気孔に防水通気シートを取り付け、
前記マウントに防水アダプタを装着して前記レンズ鏡筒を進退させた際に、前記カメラ本体内とアダプタ内との間で前記通気孔を介して空気が移動することを特徴とする防水カメラ。
【請求項２】
防水構造のカメラ本体と、このカメラ本体の前面に形成された開口内に配置されるとともに光軸方向に進退可能なレンズ鏡筒と、前記開口を囲むようにカメラ本体の前面に取り付けられた環状のマウントと、前記開口の内周面とレンズ鏡筒との間をシールするシール部材とを備え、別光学系を取り付けるための防水アダプタが前記マウントに着脱自在に装着される防水カメラにおいて、
前記カメラ本体のマウントの内側の前壁部に通気孔を設け、
閉成により前記通気孔を塞ぎ且つ前記防水アダプタの装着時には開成させておく防水蓋を開閉可能に設け、
前記マウントに防水アダプタを装着して前記レンズ鏡筒を進退させた際に、前記カメラ本体内とアダプタ内との間で、防水蓋が開成された前記通気孔を介して空気が移動することを特徴とする防水カメラ。
【請求項３】
前記防水蓋は、前記防水アダプタの着脱に連動して開閉することを特徴とする請求項２に記載の防水カメラ。
【請求項４】
前記通気孔は、前記マウントから所定距離離間するとともにそのマウントに覆われることを特徴とする請求項１ないし請求項３のいずれか１つに記載の防水カメラ。
【発明の詳細な説明】
【技術分野】
【０００１】
この発明は、光軸方向に進退可能なレンズ鏡筒と、カメラ本体の前面に取り付けられたマウントとを備えた防水カメラに関する。
【背景技術】
【０００２】
従来から、カメラ本体に取り付けられた鏡筒外筒と、この鏡筒外筒内に光軸方向に沿って進退自在に配置されたズーム移動枠とを備えた防水カメラが知られている（特許文献１参照）。
【０００３】
かかる防水カメラは、鏡筒外筒の先端部にワイドコンバータが着脱可能に取り付けられるようになっている。また、鏡筒外筒の先端部の内周面に防水Ｏリングが設けられており、鏡筒外筒とズーム移動枠の間には水などが侵入しないようになっている。
【０００４】
また、２段沈胴式のレンズ鏡筒を搭載した防水カメラが知られている（特許文献２参照）。
【０００５】
この防水カメラは、カメラ本体の前面にレンズカバーを装着することにより、レンズ鏡筒がレンズカバーおよびカメラ本体内に水密に収納された状態となり、これにより水中で撮影が行えるようになっている。
【０００６】
また、カメラ本体の開口内に光軸方向に沿って進退可能なレンズ筒を配置し、カメラ本体に通気孔を設け、この通気孔に非通水性で通気性のフィルタを設け、前記開口とレンズ筒との間にＯリングを設けた防水カメラが知られている（特許文献３参照）。
【特許文献１】特開平７−９２５３７号公報
【特許文献２】特開２００６−１０６３４０号公報
【特許文献３】実公平４−３５６号公報
【発明の開示】
【発明が解決しようとする課題】
【０００７】
ところで、特許文献１に示す防水カメラにあっては、鏡筒外筒の内周面に防水Ｏリングが設けられていることにより、例えばズーム移動枠を進出させた場合、カメラ本体内の圧力が減少する。このため、防水Ｏリングの防水機能が損なわれる虞がある。また、防水Ｏリングの防水機能が損なわれないように防水機能を強くすると、ズーム移動枠の進退がスムーズに行われず、その移動に大きな力が必要となる。
【０００８】
特に、鏡筒外筒の先端部に防水のワイドコンバータを装着してズーム移動枠を進退させた場合、ワイドコンバータ内の圧力も増減するため、ズーム移動枠の移動がさらにスムーズに行われず、その移動に相当な大きな力が必要となる。
【０００９】
また、特許文献２に示す防水カメラにあっては、レンズカバーを装着しなければ、防水機能を発揮することができないという問題がある。
【００１０】
特許文献３に示す防水カメラにあっては、カメラ本体の通気孔を設けていることにより、レンズ筒の光軸方向への移動をスムーズに行うことができるが、防水アダプタを装着できる構造になっておらず、この防水アダプタをレンズ筒を覆うように取り付けた場合、レンズ筒の進退により防水アダプタ内の圧力が変化するため、そのレンズ筒の進退をスムーズに行うことができない。
【００１１】
この発明の目的は、防水アダプタを装着してもレンズ鏡筒の進退がスムーズに行え、しかもカメラ本体だけでも防水機能を発揮することのできる防水カメラを提供することにある。
【課題を解決するための手段】
【００１２】
請求項１の発明は、防水構造のカメラ本体と、このカメラ本体の前面に形成された開口内に配置されるとともに光軸方向に進退可能なレンズ鏡筒と、前記開口を囲むようにカメラ本体の前面に取り付けられた環状のマウントと、前記開口の内周面とレンズ鏡筒との間をシールするシール部材とを備え、別光学系を取り付けるための防水アダプタが前記マウントに着脱自在に装着される防水カメラにおいて、
前記カメラ本体のマウントの内側の前壁部に通気孔を設け、
この通気孔に防水通気シートを取り付け、
前記マウントに防水アダプタを装着して前記レンズ鏡筒を進退させた際に、前記カメラ本体内とアダプタ内との間で前記通気孔を介して空気が移動することを特徴とする。
【００１３】
請求項２の発明は、防水構造のカメラ本体と、このカメラ本体の前面に形成された開口内に配置されるとともに光軸方向に進退可能なレンズ鏡筒と、前記開口を囲むようにカメラ本体の前面に取り付けられた環状のマウントと、前記開口の内周面とレンズ鏡筒との間をシールするシール部材とを備え、別光学系を取り付けるための防水アダプタが前記マウントに着脱自在に装着される防水カメラにおいて、
前記カメラ本体のマウントの内側の前壁部に通気孔を設け、
閉成により前記通気孔を塞ぎ且つ前記防水アダプタの装着時には開成させておく防水蓋を開閉可能に設け、
前記マウントに防水アダプタを装着して前記レンズ鏡筒を進退させた際に、前記カメラ本体内とアダプタ内との間で、防水蓋が開成された前記通気孔を介して空気が移動することを特徴とする。
【００１４】
請求項３の発明は、前記防水蓋は、前記防水アダプタの着脱に連動して開閉することを特徴とする。
【００１５】
請求項４の発明は、前記通気孔は、前記マウントから所定距離離間するとともにそのマウントに覆われることを特徴とする。
【発明の効果】
【００１６】
この発明によれば、防水アダプタを装着してもレンズ鏡筒の進退がスムーズに行え、しかもカメラ本体だけでも防水機能を発揮することができる。
【発明を実施するための最良の形態】
【００１７】
以下、この発明に係る防水カメラの実施形態である実施例を図面に基づいて説明する。
【実施例】
【００１８】
［第１実施例］
図１および図２に示す防水カメラ（防水デジタルカメラ）は、カメラ本体１０を有し、このカメラ本体１０のマウント１１に防水アダプタ５０が着脱可能に装着されるようになっている。また、防水アダプタ５０の先端部（図２において左端部）には、防水のテレコンバータ（別光学系）や防水のワイドコンバータ（別光学系）６０等が着脱可能に装着される。
【００１９】
カメラ本体１０は、前面が開口された本体ケース１２を有し、この本体ケース１２の前面開口に前カバー１３が取り付けられている。本体ケース１２と前カバー１３の接合部にはシール部材Ｓ１が取り付けられている。
【００２０】
前カバー１３には開口１３Ａが形成され、この開口１３Ａを囲むようにマウント１１が前カバー１３の前面にネジＮにより固定されている。また、マウント１１の内周面に沿って前カバー１３の前面にシール部材Ｓ２が設けられている。
【００２１】
そして、前カバー（前壁部）１３の開口１３Ａの上であって且つマウント１１の内側には通気孔１４が形成されている。この通気孔１４には、空気のみを通し水を通さない防水通気シート１５が設けられている。
【００２２】
前カバー１３の開口１３Ａ内には、レンズ筒（レンズ鏡筒）２０が光軸方向に沿って進退可能に配置されており、レンズ筒２０はズームレンズ２１を保持した筒部２２を有している。
【００２３】
また、前カバー１３の開口１３Ａの内周面にはシール部材Ｓ３が取り付けられており、この開口１３Ａの内周面とレンズ筒２０の外周面との間がシール部材Ｓ３によりシールされている。そして、シール部材Ｓ１，Ｓ３によりカメラ本体１０は単独でも防水機能を有している。
【００２４】
そして、カメラ本体１０とレンズ筒２０とマウント１１とシール部材Ｓ１〜Ｓ３等とで防水カメラが構成されている。
【００２５】
レンズ筒２０は、図示しない移動機構により光軸方向に進退するようになっており、カメラ本体１０に設けたテレ・ワイドスイッチ（図示せず）を操作すると、図示しないモータが駆動して移動機構によりレンズ筒２０が光軸方向に進退するものである。
【００２６】
カメラ本体１０内には、撮像素子であるＣＣＤ３０と、このＣＣＤ３０上に被写体像を結像する結像レンズ系４０等が設けられている。
【００２７】
レンズ筒２０が沈胴すると、図３に示すように結像レンズ系４０が筒部２２内に進入するようになっている。
【００２８】
マウント１１は、環状に形成されるとともに内周面に環状溝１１Ｍが形成され、図４に示すように前壁部１１Ａの内周縁部には、後述する防水アダプタ５０の突起部５２を環状溝１１Ｍへ案内するための３つの切欠１１ｂが形成されている。
【００２９】
防水アダプタ５０は、両端が開口された筒状に形成されたアダプタ本体５１を有し、このアダプタ本体５１の後端には外方に突出した３つの突起部５２（図４のみに図示）が形成されている。また、アダプタ本体５１の先端部の内周面には、図２に示すように雌ネジ５３が形成されており、その先端部の先端面にはシール部材Ｓ４（図２参照）が取り付けられている。なお、図４では開口１３Ａおよびレンズ筒２０は省略してある。
【００３０】
防水アダプタ５０のマウント１１への装着は、従来と同様に、アダプタ本体５１の突起部５２をマウント１１の切欠１１ｂに入れ、アダプタ本体５１を回転させてその突起部５２をマウント１１の環状溝１１Ｍ内に挿入することにより、防水アダプタ５０がマウント１１に装着されるものである。
【００３１】
ワイドコンバータ６０は、広角レンズ６１を保持したラッパ状の筒体６２を有し、この筒体６２の後端部（図２において右端部）の外周面に雄ネジ６３が形成され、この雄ネジ６３が防水アダプタ５０の雌ネジ５３に螺合することにより、ワイドコンバータ６０が防水アダプタ５０に着脱可能に装着される。
［作  用］
次に、上記のように構成される防水カメラの作用について説明する。
【００３２】
図３に示すように防水アダプタ５０を装着しない場合、レンズ筒２０が沈胴した状態からレンズ筒２０を前方（図３において左方）へ繰り出していくと、カメラ本体１０内の圧力が低下していくことになるが、レンズ筒２０の繰り出しとともに前カバー１３の通気孔１４から防水通気シート１５を介して外気がカメラ本体１０内に導入されるので、カメラ本体１０内の圧力を一定に保つことができる。このため、レンズ筒２０の繰り出しの際に、シール部材Ｓ１，Ｓ３のシール性が損なわれてしまうことがなく、水滴などがシール部材Ｓ１，Ｓ３を介してカメラ本体１０内に入ってしまうことを防止することができ、防水機能が低下してしまうことを防止することができる。
【００３３】
しかも、カメラ本体１０内の圧力を一定に保つことができることにより、レンズ筒２０の繰り出しをスムーズに行うことができる。
【００３４】
また、前カバー１３の通気孔１４には防水通気シート１５が設けられているので、この通気孔１４から外気が導入される際にその外気とともに水が入ってしまうことは防止される。
【００３５】
そして、図１に示すようにレンズ筒２０を繰り出した状態から沈胴方向（図１において右方向）へ移動させていくと、カメラ本体１０内の圧力が上昇していくが、防水通気シート１５を介して前カバー１３の通気孔１４からカメラ本体１０内の空気が排出されていくので、カメラ本体１０内の圧力を一定に保つことができる。このため、沈胴方向の移動の際にもレンズ筒２０をスムーズに移動させることができる。すなわち、レンズ筒２０の光軸方向への移動（進退）をスムーズに行うことができ、大きなパワーのモータを必要としない。
【００３６】
次に、図２に示すように、マウント１１に防水アダプタ５０を装着し、防水アダプタ５０にワイドコンバータ６０を装着した場合、図２に示すように繰り出したレンズ筒２０を沈胴方向へ移動させていくと、カメラ本体１０内の圧力が上昇し、防水アダプタ５０内の圧力が減少していくが、カメラ本体１０内の空気が防水通気シート１５を介して前カバー１３の通気孔１４から防水アダプタ５０内に導入されるので、カメラ本体１０内および防水アダプタ５０内の圧力が一定に保たれる。
【００３７】
沈胴したレンズ筒２０が繰り出されていくと、カメラ本体１０内の圧力が低下し、防水アダプタ５０内の圧力が増加していくが、防水アダプタ５０内の空気が前カバー１３の通気孔１４および防水通気シート１５を介してカメラ本体１０内へ導入されるので、カメラ本体１０内および防水アダプタ５０内の圧力が一定に保たれる。このため、レンズ筒２０の繰り出しの際に、水滴がシール部材Ｓ３を介してカメラ本体１０内に入ってしまうことを防止することができる。
【００３８】
このように、レンズ筒２０が光軸方向に進退しても防水アダプタ５０内およびカメラ本体１０内の圧力が一定に保たれることにより、シール部材Ｓ１〜Ｓ４のシール性が損なわれてしまうことがなく、防水機能が低下してしまうことを防止することができる。また、レンズ筒２０の進退の際に防水アダプタ５０内およびカメラ本体１０内の圧力が一定に保たれるので、レンズ筒２０の進退をスムーズに行うことができる。
【００３９】
また、シール性の高いシール部材Ｓ１，Ｓ２，Ｓ４を使用すれば、水中撮影が可能となり、しかも、レンズ筒２０の進退によってシール部材Ｓ１，Ｓ２，Ｓ４のシール性が損なわれてしまうことがないので、水中であってもレンズ筒２０を自由に進退させることができる。また、この場合でも、シール部材Ｓ３は防水アダプタ５０およびカメラ本体１０で囲まれる空間内に存在することにより、シール性を高める必要がなく、このためレンズ筒２０の進退をスムーズに行うことができる。
［第２実施例］
図５ないし図７は第２実施例の防水カメラを示す。この第２実施例の防水カメラでは、カメラ本体１０の前カバー１３に取り付けたマウント１１１によって前カバー１３の通気孔１４を覆うようにしたものである。
【００４０】
すなわち、マウント１１１の後壁部１１１Ｂが前カバー１３の通気孔１４から所定距離離間するとともに対向するようにマウント１１１を前カバー１３に取り付けたものである。
【００４１】
また、マウント１１１の外周面には環状溝１１１Ｍが形成されている。また、マウント１１１の内壁部１１１Ａの外周縁部には３つの切欠１１１ｂが形成されている。
【００４２】
防水アダプタ１５０のアダプタ本体１５１の後端には内方に突出した３つの突起部１５２が形成されている。この突起部１５２をマウント１１１の切欠１１１ｂに入れ、アダプタ本体１５１を回転させてその突起部１５２をマウント１１１の環状溝１１１Ｍ内に挿入することにより、防水アダプタ１５０をマウント１１１に装着するものである。他の構成は第１実施例と同様なのでその説明は省略する。
【００４３】
この第２実施例の防水カメラによれば、前カバー１３の通気孔１４がマウント１１１によって覆われた状態となっているので、飛び散った水滴などが前カバー１３の通気孔１４に直接進入してくるのが防止されるため、通気孔１４の防水通気シート１５の防水機能をより確実なもの、すなわち防水性能が向上する。また、カメラ本体１０を前面から見たとき、通気孔１４がマウント１１１によってかくれているので、見栄えがよく外観的にも優れているものになる。
［第３実施例］
図８および図９は第３実施例の防水カメラを示す。この第３実施例の防水カメラは、カメラ本体１０の前カバー１３の通気孔１４を樹脂製の蓋部材２００で塞ぐようにしたものである。
【００４４】
蓋部材２００は、図１０および図１１に示すように、平板状の蓋カバー２０１と、この蓋カバー２０１に一体形成されるとともに前カバー１３の通気孔１４に嵌入する棒状の閉塞部２０２とを有し、蓋カバー２０１の一端が折り曲げ自在に前カバー１３に取り付けられている。閉塞部２０２は先端部が細くなるように形成されている。
【００４５】
カメラ本体１０のマウント１１に防水アダプタ５０を装着しない場合、すなわち使用しない場合には、図１０に示すように、蓋部材２００の閉塞部２０２を前カバー１３の通気孔１４に嵌入して、この通気孔１４を閉塞しておく。これにより、カメラ本体１０の防水機能が確保される。
【００４６】
カメラ本体１０のマウント１１に防水アダプタ５０を装着する場合には、図１１に示すように、蓋部材２００を前カバー１３の通気孔１４から外す。この後に、図９に示すように防水アダプタ５０をカメラ本体１０のマウント１１に装着する。蓋部材２００が通気孔１４から外されていることにより、カメラ本体１０内と防水アダプタ５０内とが通気孔１４を介して連通されている。このため、レンズ筒２０を光軸方向にスムーズに進退させることができ、第１実施例と同様な効果を得ることができる。
［第４実施例］
図１２は第４実施例を示したものである。この第４実施例では、前カバー１３の裏面に通気孔３１４を挟む位置に光軸方向である後方（図１２おいて右方）に延びた２つの支柱部３０１，３０２が一体形成され、この支柱部３０１，３０２に沿って移動自在に蓋部材（開閉手段）３１０が前カバー１３の裏面側に配置されている。
【００４７】
通気孔３１４の右開口端（図１２において）が拡開するようにテーパ面３１４ａが形成されている。
【００４８】
蓋部材３１０は、支柱部３０１，３０２を通した孔３１３，３１８を有する板状の蓋部３１１と、この蓋部３１１の左側面（図１２において）から左方へ突出した閉塞部３１５と、この閉塞部３１５の先端部に一体形成された突起部３１６とを有している。
【００４９】
閉塞部３１５は、左方にいくに従って径が漸減して周面が円錐状に傾斜しており、通気孔３１４のテーパ面３１４ａに当接するようになっている。
【００５０】
突起部３１６は前カバー１３の通気孔３１４内に挿入されており、その先端部３１６Ａが通気孔３１４から突出している。先端部３１６Ａには、左方（図１２において）に向かって斜め上方に向いた傾斜面３１６ｂが形成されている。
【００５１】
一方、支柱部３０１，３０２の後端部（図１２おいて右端部）には、Ｅリング３２０，３２１が取り付けられており、このＥリング３２０，３２１と蓋部材３１０の蓋部３１１との間にスプリング３２３，３２４が設けられている。このスプリング３２３，３２４により蓋部材３１０は左方向へ付勢され、蓋部材３１０の閉塞部３１５が通気孔３１４のテーパ面３１４ａに圧接して通気孔３１４を閉塞している。そして、スプリング３２３，３２４と突起部３１６等とで通気孔３１４の閉塞部３１５を開閉動作させる連動手段が構成される。
【００５２】
図１５は、第４実施例の防水カメラのマウント１１（図１参照）に装着される防水アダプタ３５０を示す。
【００５３】
この防水アダプタ３５０は、アダプタ本体５１の後端部の内周面から後方（図１５において左方）に突出した押出部３５１が形成されている。装着時の防水アダプタ３５０の回転方向（矢印方向）に向いた押出部３５１の端面は傾斜面３５１ａとなっている。また、押出部３５１の後端面３５１ｂはアダプタ本体５１の後端面から一定の高さに形成されている。
【００５４】
他の構成は第１実施例と同じなのでその説明は省略する。
【００５５】
防水アダプタ３５０の装着は、従来と同様に、図１５に示すアダプタ本体５１の突起部５２をマウント１１（図１参照）の切欠１１ｂに入れる。突起部５２が切欠１１ｂに入れられると、図１３に示すように、防水アダプタ３５０の押出部３５１の傾斜面３５１ａが蓋部材３１０の突起部３１６の傾斜面３１６ｂと対向する。
【００５６】
そして、防水アダプタ３５０を矢印方向（図１５参照）に回転させると、防水アダプタ３５０の突起部５２がマウント１１の環状溝１１Ｍ内に挿入されていく。すなわち、防水アダプタ３５０の押出部３５１が図１３に示すように下方に移動していく。この下方への移動により、押出部３５１の傾斜面３５１ａが蓋部材３１０の突起部３１６の傾斜面３１６ｂに当接して、その防水アダプタ３５０の回転とともにその押出部３５１の傾斜面３５１ａが蓋部材３１０をスプリング３２３，３２４の付勢力に抗して後方（図１４において右方）へ移動させていく。
【００５７】
防水アダプタ３５０が所定位置まで回転されると、防水アダプタ３５０のマウント１１への装着が完了し、図１４に示すように、押出部３５１の後端面３５１ｂに蓋部材３１０の突起部３１６が当接し、蓋部材３１０がスプリング３２３，３２４の付勢力に抗して図１４に示す位置へ移動され、前カバー１３の通気孔３１４が開成される。
【００５８】
防水アダプタ３５０をマウント１１から取り外せば、図１２に示すように蓋部材３１０がスプリング３２３，３２４の付勢力により通気孔３１４を閉塞する。
【００５９】
このように、防水アダプタ３５０の着脱に連動して蓋部材３１０が前カバー１３の通気孔３１４を開閉するので、防水アダプタ３５０の着脱の際に蓋部材３１０を手でいちいち操作して通気孔３１４を開閉する必要がなく、第１実施例と同様な効果を得ることができる。
【００６０】
この第４実施例では、蓋部材３１０とスプリング３２３，３２４等で通気孔３１４の開閉を行うようにしているが、必ずしもこの構成である必要はなく、防水アダプタ３５０を装着すれば通気孔３１４が開成され、防水アダプタ３５０を取り外せば通気孔３１４が開成されればどのような構成であってもよい。
【００６１】
この発明は、上記の第１ないし第４実施例に限定されるものではなく、請求の範囲を逸脱しない範囲で種々の設計変更が可能であることは勿論である。
【図面の簡単な説明】
【００６２】
【図１】この発明に係る防水カメラと防水アダプタとワイドコンバータの外観を示した斜視図である。
【図２】図１に示す防水カメラ等の主要部の構成を概念的に示した断面図である。
【図３】レンズ筒を沈胴させた防水カメラを示した断面図である。
【図４】マウントと防水アダプタを示した斜視図である。
【図５】第２実施例の防水カメラを示した断面図である。
【図６】第２実施例の防水カメラに防水アダプタとワイドコンバータを装着した状態を示した断面図である。
【図７】第２実施例のマウントと防水アダプタを示した斜視図である。
【図８】第３実施例の防水カメラと防水アダプタとワイドコンバータの外観を示した斜視図である。
【図９】図８に示す防水カメラ等の主要部の構成を概念的に示した断面図である。
【図１０】蓋部材によって通気孔を閉塞した状態を示した説明図である。
【図１１】通気孔を開成した状態を示した説明図である。
【図１２】前カバーの通気孔と蓋部材とを示した断面図である。
【図１３】通気孔および蓋部材と、防水アダプタの押出部との位置関係を示した説明図である。
【図１４】防水アダプタの装着によって蓋部材が通気孔を開成した状態を示した説明図である。
【図１５】第４実施例の防水アダプタを示した斜視図である。
【符号の説明】
【００６３】
１０            カメラ本体
１１            マウント
１３            前カバー（前壁部）
１３Ａ          開口
１４            通気孔
１５            防水通気シート
２０            レンズ筒（レンズ鏡筒）
５０            防水アダプタ
６０            ワイドコンバータ（別光学系）
【図１】
2010072225.tif 000003
【図２】
2010072225.tif 000004
【図３】
2010072225.tif 000005
【図４】
2010072225.tif 000006
【図５】
2010072225.tif 000007
【図６】
2010072225.tif 000008
【図７】
2010072225.tif 000009
【図８】
2010072225.tif 000010
【図９】
2010072225.tif 000011
【図１０】
2010072225.tif 000012
【図１１】
2010072225.tif 000013
【図１２】
2010072225.tif 000014
【図１３】
2010072225.tif 000015
【図１４】
2010072225.tif 000016
【図１５】
2010072225.tif 000017